(57)【要約】      （修正有）【課題】パネル構造体とドア構造体よりなる高耐震性間仕切装置において、大きな地震時の層間変位により、ドア枠の縦ドア枠の下端が保持金具より上に持ち上がっても、ドア構造体を初期位置に復帰させ、ドア枠の累積的なせり上がりを防ぎ支柱からの脱落を防止することができるドア枠取付装置を提供する。【解決手段】地震時に支柱５がロッキングした際に、支柱５に対してドア枠７を構成する縦ドア枠１１を、上方変位可能に係止するとともに、縦ドア枠１１の下端部をフロア構造体に設置した保持金具１３に乗り上げないようにし、ドア枠７が保持金具１３で案内されて初期位置に復帰することで、ドア構造体も初期位置に復帰させる。【選択図】図３
2019105075.tif 000002
【特許請求の範囲】
【請求項１】
耐震性の吊天井構造体とフロア構造体との間に、複数の支柱を所定間隔で立設し、該支柱間にパネル板を装着してパネル構造体を構築するとともに、所定の支柱間にドアパネルを支持するドア枠を配置してドア構造体を構築してなる高耐震性間仕切装置において、地震時に支柱がロッキングした際に、該支柱に対してドア枠を構成する縦ドア枠を、上方変位可能に係止するとともに、前記縦ドア枠の下端部をフロア構造体に直接または間接固定され案内部を設けた保持金具に、上下スライド可能に嵌合し、前記支柱がロッキングし該縦ドア枠の下端が前記保持金具より上に持ち上がっても、両縦ドア枠の下端が前記案内部に案内されることで、ドア構造体を初期位置に復帰させるようにしたことを特徴とする高耐震性間仕切装置におけるドア枠取付装置。
【請求項２】
前記ドア枠の縦ドア枠が前記保持金具に外嵌され、かつ該保持金具の嵌合高さが前記縦ドア枠を支柱に係止するフックの係止部における係止深さより低い請求項１記載の高耐震性間仕切装置におけるドア枠取付装置。
【請求項３】
前記保持金具が、前記案内部として、前記支柱側の上端部に傾斜部を設け、前記縦ドア枠の下端を該傾斜部で摺動案内する請求項１または２記載の高耐震性間仕切装置におけるドア枠取付装置。
【発明の詳細な説明】
【技術分野】
【０００１】
本発明は、高耐震性間仕切装置におけるドア枠取付装置に関わり、更に詳しくは地震時に大きな層間変位が生じてもドア枠のせり上がりを防止するドア枠取付装置に関する。
【背景技術】
【０００２】
通常、オフィスビル等は、複数のスラブで各階が形成され、上スラブの下面側には吊り天井構造体が構築され、下スラブの上面側にはフロア構造体が構築され、構造壁で囲まれた空間を間仕切装置で適宜に区画されている。通常、吊り天井構造体は、上スラブから垂下した吊支部材（吊りボルト）によって、縦横に張り巡らした天井支持レールを吊下げ状に保持し、該天井支持レールに天井パネルの周囲を係止する構造である。このような吊り天井構造体を有する室内に天井パネルからフロア構造体にわたって、間仕切パネルやドアパネルを組み合わせた間仕切装置を設置する。従来、吊り天井構造体に対する耐震基準はなかったが、東日本大震災によって多くの吊り天井構造体が落下し、破損したことを受けて天井の耐震性を高める機運が高まってきた。このような間仕切装置においても、層間変形角が１／６０〜１／４０、震度７、天井面加速度が２２Ｇに耐えることが必要と考えられる。
【０００３】
一般に、間仕切装置は、吊天井構造体の下面に取り付けた天レールとフロア構造体の上面に取り付けた地レールとの間に、複数の支柱を所定間隔毎に立設するとともに、支柱間にそれぞれパネル板を装着して複数の支柱とパネル板が一連化したパネル構造体を形成するとともに、適所の支柱間にドアを設ける。その中でも特に、地震時の層間変位への対策として、特許文献１のように、ドア枠を支柱に対して上方変位可能に係止し、地震時に支柱がロッキングした際に、ドア枠およびドアパネルからなるドア構造体が一方の支柱の係止部を支点として反対側に持ち上げ力が作用し、支柱に対してドア枠を構成する一方の縦ドア枠が上動するが、支柱が垂直に戻ると、上動した縦ドア枠も元の係止状態に戻るようにした高耐震性間仕切装置におけるドア装置が提供されている。
【先行技術文献】
【特許文献】
【０００４】
【特許文献１】特開２０１６−１３８４２６
【発明の概要】
【発明が解決しようとする課題】
【０００５】
ところで、前記特許文献１に記載のものは、前記縦ドア枠の下端部は、フロア構造体に設置した保持金具に上下スライド可能に嵌合して保持し、地震時にロッキングが生じた際に、支柱の傾斜につれて、一方の前記保持金具に対して前記縦ドア枠が上動し、支柱が垂直状態に戻る際に、前記保持金具に対して縦ドア枠が下動して元の嵌合状態に復帰するようにしている。しかし、前記特許文献１のように、地震時の層間変位を考慮したドア装置であっても、想定以上の地震が発生したときに、前記支柱に対する縦ドア枠の上動が大きくなり過ぎ、支柱に縦ドア枠は係止された状態ではあるが、該縦ドア枠の下端が保持金具よりも高い位置まで上動する場合があり、その状態から支柱が垂直状態に戻っても前記縦ドア枠の下端が保持金具の上端に乗り上げた状態になる。この前記縦ドア枠の下端が保持金具の上端に乗り上げて元の係止状態に復帰してない状態から前記支柱が逆向きに傾斜した場合、この乗り上げ部を支点として、ドア構造体の反対側が更に上動し、反対側の縦ドア枠の支柱に対する係止が外れてしまう事態が発生することが予測される。
【０００６】
そこで、本発明が前述の状況に鑑み、解決しようとするところは、高耐震性間仕切装置におけるドア枠およびその取付装置において、大きな地震時の層間変位でドア枠がせりあがっても保持金具の上に乗り上げないようにした、高耐震性間仕切装置におけるドア枠取付装置を提供する点にある。
【課題を解決するための手段】
【０００７】
本発明は、前述の課題の解決のために、以下に示す高耐震性間仕切装置におけるドア枠取付装置を構成する。
【０００８】
（１）
耐震性の吊天井構造体とフロア構造体との間に、複数の支柱を所定間隔で立設し、該支柱間にパネル板を装着してパネル構造体を構築するとともに、所定の支柱間にドアパネルを支持するドア枠を配置してドア構造体を構築してなる高耐震性間仕切装置において、地震時に支柱がロッキングした際に、該支柱に対してドア枠を構成する縦ドア枠を、上方変位可能に係止するとともに、前記縦ドア枠の下端部をフロア構造体に直接または間接固定され案内部を設けた保持金具に、上下スライド可能に嵌合し、前記支柱がロッキングし該縦ドア枠の下端が前記保持金具より上に持ち上がっても、両縦ドア枠の下端が前記案内部に案内されることで、ドア構造体を初期位置に復帰させるようにしたことを特徴とする高耐震性間仕切装置におけるドア枠取付装置。
【０００９】
（２）
前記ドア枠の縦ドア枠が前記保持金具に外嵌され、かつ該保持金具の嵌合高さが前記縦ドア枠を支柱に係止するフックの係止部における係止深さより低い（１）記載の高耐震性間仕切装置におけるドア枠取付装置。
【００１０】
（３）
前記保持金具が、前記案内部として、前記支柱側の上端部に傾斜部を設け、前記縦ドア枠の下端を該傾斜部で摺動案内する（１）または（２）記載の高耐震性間仕切装置におけるドア枠取付装置。
【発明の効果】
【００１１】
以上にしてなる本発明の高耐震性間仕切装置におけるドア枠取付装置は、以下に示す効果を奏する。
【００１２】
（１）の構成によれば、耐震性の吊天井構造体とフロア構造体との間に、複数の支柱を所定間隔で立設し、該支柱間にパネル板を装着してパネル構造体を構築するとともに、所定の支柱間にドアパネルを支持するドア枠を配置してドア構造体を構築してなる高耐震性間仕切装置において、地震時に支柱がロッキングした際に、該支柱に対してドア枠を構成する縦ドア枠を、上方変位可能に係止するとともに、前記縦ドア枠の下端部をフロア構造体に直接または間接固定され案内部を設けた保持金具に、上下スライド可能に嵌合し、前記支柱がロッキングし該縦ドア枠の下端が前記保持金具より上に持ち上がっても、両縦ドア枠の下端が前記案内部に案内されることで、ドア構造体を初期位置に復帰させるようにしたことにより、大きな地震時の層間変位で支柱が大きく傾斜し、ドア枠の縦ドア枠の下端が保持金具より上に持ち上がっても、反対側への傾斜時に、ドア枠が保持金具の案内部で案内されて初期位置に復帰することで、ドア構造体も初期位置に復帰させることができ、もってドア枠の累積的なせり上がりを防止でき、支柱からの脱落を防止できる。
【００１３】
（２）の構成によれば、前記ドア枠の縦ドア枠が前記保持金具に外嵌され、かつ該保持金具の嵌合高さが前記縦ドア枠を支柱に係止するフックの係止部における係止深さより低いことで、ドア枠の縦ドア枠をフックに係止させるのと同時に、縦ドア枠を保持金具にスムーズに外嵌させることができ、施工性に優れる。
【００１４】
（３）の構成によれば、前記保持金具が、前記案内部として、前記支柱側の上端部に傾斜部を設けることで、支柱がロッキングして、前記縦ドア枠の下端が前記保持金具より上位に持ちあがった後、元の嵌合状態に復帰すべく前記縦ドア枠の下端を該傾斜部で摺動案内することで、ドア枠の縦ドア枠の下端が保持金具よりも上に持ち上がった状態から下動する際に、乗り上げることなく縦ドア枠の下端部が保持金具に嵌合するようになり、地震が治まった際にドア構造体が初期位置に復帰させることができ、もってドアパネルをスムーズに開閉できる。
【図面の簡単な説明】
【００１５】
【図１】本発明のドア枠取付装置を適用した耐震性間仕切装置を示す部分正面図である。
【図２】本発明のドア枠取付装置を適用したドア装置の概略斜視図である。
【図３】同じく支柱とドア枠の関係を示す分解正面図である。
【図４】同じく支柱とドア枠の関係を示す分解斜視図である。
【図５】同じく支柱と左側の縦ドア枠の関係を示す分解斜視図である。
【図６】保持金具の（a）は横断平面図、（b）は斜視図である。
【図７】支柱に左側の縦ドア枠を係止する状態を示す分解斜視図である。
【図８】同じく支柱に左側の縦ドア枠を係止する状態を示し、（a）は縦断正面図、（b）は横断平面図である。
【図９】同じく支柱に左側の縦ドア枠が係止された状態を示し、（a）は縦断正面図、（b）は横断平面図である。
【図１０】ドア枠の上位に欄間パネルを取付ける構造を示す縦断側面図である。
【図１１】連接されたパネル構造体及びドア構造体の横断平面図である。
【図１２】ドア枠の両縦ドア枠と保持金具の初期位置を示す拡大正面図である。
【図１３】支柱ロッキング時のドア枠の状態を示し、（a）はロッキング直後、（b）ロッキング後初期位置への復帰途中、（c）復帰後を示す拡大正面図である。
【図１４】図１の状態から面内方向左側への層間変位が乗じた場合の耐震性間仕切装置の変化を示す部分正面図である。
【図１５】図１の状態から面内方向右側への層間変位が乗じた場合の耐震性間仕切装置の変化を示す部分正面図である。
【発明を実施するための形態】
【００１６】
次に、添付図面に示した実施形態に基づき、本発明を更に詳細に説明する。図１は本発明のドア枠取付装置５０を適用した耐震性間仕切装置を示し、図２〜図１２は本発明の詳細を示す。図中符号１はパネル構造体、２はドア構造体、３は天レール、４は地レール、５は支柱、６はパネル板、７はドア枠、８はドアパネル、９は欄間パネルをそれぞれ示している。
【００１７】
本発明に係る耐震性間仕切装置に係るドア枠取付装置５０は、連接されたパネル構造体１とドア構造体２よりなる耐震性間仕切装置における、ドア枠７を取り付けるための装置であって、図１に示すように、図示しない耐震性の吊天井構造体の下面に取り付けた天レール３と、図示しないフロア構造体に敷設した地レール４との間に、複数の支柱５，…を所定の間隔で立設し、該支柱５，５間にパネル板６を装着して、パネル構造体１を構築するとともに、所定の支柱５，５間に主ドアパネル８Ａ及び副ドアパネル８Ｂを支持するドア枠７を配置してドア構造体２を構築し、該ドア枠７を地レール４に配置した保持金具１３およびその取付用のネジ６３からなるドア枠取付装置５０を構築してなるものである。本発明のドア枠取付装置５０は、地震時に前記支柱５がロッキングしても前記ドア枠７が前記保持金具１３に乗り上げないようにしたことを特徴としている。
【００１８】
ここで、前記パネル構造体１には、ロッキング仕様とスライド仕様とがある。ロッキング仕様のパネル構造体１は、前記支柱５，５間を少なくとも横桟で一定間隔となるように連結するとともに、該支柱５の上端部は前記天レール３、該支柱５の下端部は前記地レール４の変位に追従可能とし、前記支柱５，５間にパネル板６を上方変位可能に係止具で係止し、上下スラブの層間変位に対して面内でロッキング変位可能としたものである。ここで、「ロッキング」とは、複数の支柱５，…が平行に保って左右に傾斜し、それに応じてパネル板６，…も左右に傾斜する動作を示している。本発明はこのロッキング仕様を前提としている。
【００１９】
因みに、スライド仕様のパネル構造体１は、前記支柱５の下端部に地レール４に沿った方向への移動を許容するスライド手段を設けるとともに、前記支柱５，５間を複数の補強部材（図示せず）で連結して剛性構造のフレームを構成し、前記支柱５，５間にパネル板６を装着し、上下スラブの層間変位又は平行変位に対して面内で天レール３と地レール４に対してスライド変位可能としたものである。ここで、「スライド」とは、天レールと地レールで案内されてその長手方向に移動することを意味する。
【００２０】
ここで、地震により建物の上スラブと下スラブに層間変位が生じると、壁面やコーナー支柱や適宜間隔で設けた補強用の支柱は左右に傾斜する。層間変形角を最大の１／４０とすれば、階高さ（スラブ間隔）が４２００ｍｍの場合、層間変位は１０５ｍｍとなり、スラブに追従して運動する耐震性の吊り天井構造体の変位も１０５ｍｍとなる。つまり、標準的な天井高さ２８００ｍｍの天井が床面に対して片側１０５ｍｍ変位することを意味している。
【００２１】
更に詳しくは、前記高耐震性間仕切装置は、前記天レール３に対向して前記ドア構造体２を設ける位置を除き前記地レール４が敷設され、前記天レール３と地レール４間に所定間隔で支柱が立設され、この支柱５，…を利用してパネル板６，…を表裏両面に係止具１０，…で係止してパネル構造体１を構築する。前記パネル板６は、図示しないがガラス板を枠体で保持されたガラスパネルであっても良い。
【００２２】
そして、前記ドア枠７は、図１から図４に示すように、両側の縦ドア枠１１，１１の上端間に上ドア枠１２を連結した正面視倒コ字形の形状である。前記縦ドア枠１１は、前記支柱５に外嵌するチャンネル形状であり、前記支柱５の略半分を凹溝内に受け入れた状態で、前記両縦ドア枠１１，１１の下端を、フロア構造体に直接固定した保持金具１３に、あるいはフロア構造体に間接固定、たとえばフロア構造体に敷設した地レール４の端部に連結した保持金具１３に、上下スライド可能に嵌挿する。更に、前記支柱５の上下複数個所に上向きフック１６を備えた係止部材１４を固定するとともに、前記縦ドア枠１１，１１に該係止部材１４の上向きフック１６を下方から受け入れる係合孔１８を備えた受け部材１７を固定してなり、前記係止部材１４の上向きフック１６に前記受け部材１７の係合孔１８が係合した状態で該縦ドア枠１１の上方への変位のみを許容し、水平変位を規制してなる係合構造である。
【００２３】
前記支柱５は、図５及び図７に示すように、断面略Ｃ字形の汎用品であり、前後の面板１９，１９及び側面板２１よりなり、該側面板２１の反対側は解放されて凹溝２２が形成されている。該側面板２１には複数の係止部材固定ネジ穴５Ａが二列に上下方向に一定間隔で形成してあり、前記係止部材１４が係止部材固定ネジ２０で固定される。本実施形態では、ドア構造体２の両支柱ともに該側面板２１の外側が向い合せに配置している。なお、該支柱５は断面略ロ字状、つまり四角筒状のものにすることも可能である。
【００２４】
前記受け部材１７は、図５及び図７〜図９に示すように、断面コ字形の支持台２４の上下に前記縦ドア枠１１の内部にスポット溶接するための固定板２５，２５を折曲形成し、前記支持台２４の平行な上面２６と下面２７にそれぞれ前記上向きフックを受け入れる前記係合孔１８，１８を平行に形成している。
【００２５】
前記縦ドア枠１１は、前記支柱５の断面寸法よりも大きく、該支柱５の略半分を嵌合状態で受け入れることが可能な一側に開放した内部空間２８を有するとともに、解放側の両端縁を対向する内側に折曲形成した縁板２９，２９を有し、外側面の前後一側端に沿って戸当たり用の突台３０を全長に形成したものである。左右の縦ドア枠１１，１１は対称形となっている。また、上ドア枠１２の両端は、前記縦ドア枠１１，１１の上端にネジで連結できるようになっている。
【００２６】
そして、両側の支柱５，５にそれぞれ上下所定位置に複数の係止部材１４をネジ止めした状態で、該支柱５の下端に装着したアジャスター３１を前記地レール４の上向き開放の凹溝内に立設するとともに、上端部を下向き開放の前記天レール３に嵌合する。
【００２７】
そして図３及び図８に示すように、支柱５に取付けた前記係止部材１４の上向きフック１６，１６に、前記縦ドア枠１１に固定した受け部材１７の下面２７の係合孔１８，１８から落とし込み係合させ、上面２６の係合孔１８，１８も同時に係合させると同時に、下端を前記保持金具１３に上下スライド可能に外嵌する。この状態で、前記支柱５の略半分が縦ドア枠１１の内部空間２８に収納され、前記保持金具１３は完全に内部空間２８内に隠れる。なお、本実施形態では、前記縦ドア枠１１の下端部に上向きフック１６，１６の係合には使用しない受け部材１７を固定しておき、前記支柱５へ装着した際に、該受け部材１７の下面２７を前記保持金具１３に当止めするようにしている。
【００２８】
ここで、前記係止部材１４の上向きフック１６の係合深さは、支柱５が大きく傾斜しても受け部材１７の下面２７に形成した係合孔１８から抜けないように設定し、本実施形態では上向きフック１６の上下寸法を６０ｍｍとしている。
【００２９】
前記保持金具１３は、前記ドア枠１１と同じく正面視倒コ字形の形状であり、金具外側面板６０，６０、及び金具内側面板６１，６１よりなり、該金具内側面板６１，６１により保持溝６２が形成されている。該保持溝６２に前記地レール４を迎え入れ、ネジ６３，６３で固定する。該金具外側面板６０，６０の支柱側上端部には、ドア枠１１を案内する案内部として傾斜部６４，６４が形成されている。該傾斜部６４は、例えば金具外側面板６０，６０を切り欠くことで、あるいは、金具外側面板６０，６０をテーパー加工や曲げ加工することで設けられる。
【００３０】
地震時、特に長周期の地震振動により生じる層間変位時には、図１２及び図１３に示すように、パネル構造体１及びドア構造体２が大きく左右に変位する。その結果、支柱５がロッキングし、例えば、支柱５及びドア枠７が左方向にフレ角θで傾斜した際、右縦ドア枠１１と支柱５が左方向に傾斜し、図１３（a）に示す通り、右ドア枠の下端部が前記保持金具１３から外れ、保持金具１３より上に持ち上がる可能性がある。しかし、縦ドア枠１１が変位し保持金具１３より上に持ち上がっても、図１３（b）及び（c）の通り、右縦ドア枠１１は保持金具１３に設けた傾斜部６４により摺動案内されて初期位置へと復帰する。なお、縦ドア枠１１を支柱５の係止部材１４に係合する関係上、保持金具１３の嵌合高さは、係止部材１４の上向きフック１６による係止深さより、低いことが望ましい。また、たとえば曲げ加工された傾斜部６４により、ドア枠１１の下端が滑り落ちるようにすることも可能である。
【００３１】
それから、図３〜図５に示すように、両縦ドア枠１１の下端部に取付けたヒンジピン３３,３３と、図３、図４及び図１０に示すように、前記上ドア枠１２の両端部に取付けたヒンジ受け３４,３４とに、幅の広い前記主ドアパネル８Ａ及び幅の狭い前記副ドアパネル８Ｂの戸尻側の上下端に設けたヒンジ受け（図示せず）とヒンジピン３５，３５を回転可能に係合すると同時に、当該上ドア枠１２の両端を前記両縦ドア枠１１，１１の上端にネジ止め連結する。なお、実施形態では、左側のドアパネルが主ドアパネル８Ａ、右側のドアパネルが副ドアパネル８Ｂとなっているが、左右が主・副入れ替わっていてもよく、また同じ幅のドアパネルを左右に配置して両開きとすることも可能である。
【００３２】
本実施形態のドア構造体２は、ドア枠７の上位に欄間パネル９を取付けているが、その取付構造を図１０に示す。先ず、前記上ドア枠１２は、断面形状が前記縦ドア枠１１と同一であり、内部空間２８が上方に開放して取付けられている。そして、前記上ドア枠１２の両縁板２９，２９の間に所定幅の隙間Ｓ１を設けて横桟３６を配置し、その両端を両支柱５，５にＬ金具等を用いて連結している。前記欄間パネル９は、通常のパネル板６と同様な構造を有し、スチール製の表面板３７の裏面に石膏ボード等の芯材３８を接着し、下端縁には前記上ドア枠１２の縁板２９と横桟３６との隙間Ｓ１に挿入する係止片３９を折曲形成するとともに、上端縁に上縁板４０とその裏側に設けた受け板４１とで、前記天レール３の垂下板４２の下部を受け入れる上方開放したスリットＳ２を形成している。更に、前記欄間パネル９の両側には、表面板３７を裏側へ折曲し、該表面板３７と平行な裏板（図示せず）を形成し、該裏板に係止具１０を係止する係合孔（図示せず）を少なくとも上部に形成している。そして、前記支柱５の上部表裏両側の係止孔（図示せず）に係止具１０を係止した状態で、前記欄間パネル９を斜め下方から持ち上げて、前記スリットＳ２に前記天レール３の垂下板４２の下部を挿入しながら、前記係止具１０の上向きフック片４３を図示しない両側上部の係合孔内に受け入れて垂直姿勢とし、それから下方へ下げて前記係止片３９を前記スリットＳ２に落とし込むと同時に、前記係止具１０に係止する。
【００３３】
このように構成した高耐震性間仕切装置の地震時の挙動を図１４及び図１５に用いて説明する。ここで、ドアを閉じた状態では、主ドアパネル８Ａと副ドアパネル８Ｂとは一体となり、一枚のドアパネル８として振舞い、更にドアパネル８とドア枠７とは一体となって剛体として振舞うとする。以下は、主に支柱５とドア枠７の関係を説明する。先ず、図１４に示すように、支柱５が左側に傾斜した場合、ドア枠７は左側の係止部材１４に対する係止部を支点として右側が右側の支柱５に対して持ち上がり、右側の支柱５はその位置で左側に傾斜する。一方、各パネル板６，…は、左側の支柱５に対する係止部を支点として右側が持ち上がり、当該パネル板６の右側は、対応する右側の支柱５に対して持ち上がるが、その程度の持ち上がりは想定内であり、パネル板６を支柱５に保持する係止具１０による係止が外れることはない。逆に、図１５に示すように、支柱５が右側へ傾斜した場合、ドア枠７は右側の係止部材１４に対する係止部を支点として左側が左側の支柱５に対して持ち上がり、左側の支柱５はその位置で右側に傾斜する。一方、各パネル板６，…は、右側の支柱５に対する係止部を支として左側持ち上がり、当該パネル板６の左側は、対応する左側の支柱５に対して持ち上がるが、その程度の持ち上がりは想定内であり、係止具１０による係止が外れることはない。ところが、前記縦ドア枠１１に対する保持金具１３の嵌合高さが前記縦ドア枠１１を支柱５に係止するフック１６の係止部における係止深さより低いので、大きな地震による層間変位で、前記支柱５が大きく傾斜して該支柱５に対して一方の縦ドア枠１１が持ちあがって、該縦ドア枠１１の下端が保持金具１３より上になる場合も想定されるが、その状態から逆方向に支柱５が傾く際に、前記保持金具１３に設けた傾斜部６４によって縦ドア枠１１の下端が摺動案内されて、保持金具１３に縦ドア枠１１の下端の下端部が外嵌した初期状態にスムーズに復帰するのである。
【符号の説明】
【００３４】
Ｓ１：  隙間
Ｓ２：  スリット
１    パネル構造体
２    ドア構造体
３    天レール
４    地レール
５    支柱
５Ａ  係止部材固定ネジ穴
６    パネル板
７    ドア枠
８    ドアパネル
８Ａ  主ドアパネル
８Ｂ  副ドアパネル
９    欄間パネル
１０  係止具
１１  縦ドア枠
１２  上ドア枠
１３  保持金具
１４  係止部材
１６  フック
１７  受け部材
１８  係合孔
１９  面板
２０  係止部材固定ネジ
２１  側面板
２２  凹溝
２４  支持台
２５  固定板
２６  上面
２７  下面
２８  内部空間
２９  縁板
３０  突台
３１  アジャスター
３３  ヒンジピン
３４  ヒンジ受け
３５  ヒンジピン
３６  横桟
３７  表面板
３８  芯材
３９  係止片
４０  上縁板
４１  受け板
４２  垂下板
４３  フック片
５０  ドア枠取付装置
６０  金具外側面板
６１  金具内側面板
６２  保持溝
６３  ネジ
６４  傾斜部
θ    フレ角θ
【図１】
2019105075.tif 000003
【図２】
2019105075.tif 000004
【図３】
2019105075.tif 000005
【図４】
2019105075.tif 000006
【図５】
2019105075.tif 000007
【図６】
2019105075.tif 000008
【図７】
2019105075.tif 000009
【図８】
2019105075.tif 000010
【図９】
2019105075.tif 000011
【図１０】
2019105075.tif 000012
【図１１】
2019105075.tif 000013
【図１２】
2019105075.tif 000014
【図１３】
2019105075.tif 000015
【図１４】
2019105075.tif 000016
【図１５】
2019105075.tif 000017